(57)【要約】【課題】  電池をガタツクことなく電池収納凹部内に確実に固定することができる電池固定装置およびそれを備えた時計を提供する。【解決手段】  電池９と、この電池９を搭載するハウジング１１と、を備え、このハウジング１１に、電池９の面方向の位置を規制して電池９を収納する電池収納凹部１１ａと、この電池収納凹部１１ａに収納された電池９を電池収納凹部１１ａの底部に挟み付けて、電池９の厚み方向の位置を規制する電池押え部１８と、が設けられている。従って、ハウジング１１の電池収納凹部１１ａによってその内部に収納された電池９の面方向の位置を規制し、かつ電池押え部１８によって電池９を電池収納凹部１１ａの底部に挟み付けて電池９の厚み方向の位置を規制することができるので、電池９が電池収納凹部１１ａ内でガタツクことがなく、電池９を電池収納凹部１１ａ内に確実に固定することができる。【選択図】        図５
2018009881.tif 000002
【特許請求の範囲】
【請求項１】
電池と、前記電池を搭載するハウジングと、を備え、
前記ハウジングには、前記電池の面方向の位置を規制して前記電池を収納する電池収納凹部と、前記電池収納凹部に収納された前記電池を前記電池収納凹部の底部との間に挟み付けて前記電池の厚み方向の位置を規制する電池押え部と、が設けられていることを特徴とする電池固定装置。
【請求項２】
請求項１に記載の電池固定装置において、前記ハウジングには、アンテナが搭載され、前記電池押え部は、前記電池収納凹部における前記アンテナに接近する側に位置し、かつ前記電池の開放側を横切って設けられていることを特徴とする電池固定装置。
【請求項３】
請求項１または請求項２に記載の電池固定装置において、前記電池押え部は、前記電池の中心部を避けた位置で、前記電池収納凹部の縁部間に架け渡されていることを特徴とする電池固定装置。
【請求項４】
請求項１〜請求項３のいずれかに記載の電池固定装置において、前記電池収納凹部の底部と前記電池押え部との間隔は、前記電池の厚みと同じ長さに形成されていることを特徴とする電池固定装置。
【請求項５】
請求項２〜請求項４のいずれかに記載の電池固定装置において、前記電池収納凹部の周縁部は、少なくとも前記電池の中心部を境にして前記アンテナと反対側に位置する箇所が前記電池の厚みよりも低く形成されていることを特徴とする電池固定装置。
【請求項６】
請求項２〜請求項５のいずれかに記載の電池固定装置において、前記電池押え部よりも前記アンテナと反対側に位置する前記電池の開放面を押える電極板を備えていることを特徴とする電池固定装置。
【請求項７】
請求項２〜請求項６のいずれかに記載の電池固定装置において、前記アンテナはＧＰＳ用のパッチアンテナであることを特徴とする電池固定装置。
【請求項８】
請求項１〜請求項７のいずれかに記載された電池固定装置を備えていることを特徴とする時計。
【発明の詳細な説明】
【技術分野】
【０００１】
この発明は、腕時計、携帯電話機、携帯情報端末機などの電子機器に用いられる電池固定装置およびそれを備えた時計に関する。
【背景技術】
【０００２】
例えば、腕時計の電池固定装置においては、特許文献１に記載されているように、腕時計ケース内に組み込まれる時計モジュールのハウジングに、電池を収納する電池収納凹部を設けると共に、地板を取り付け、この地板に電池収納凹部内の電池を弾力的に押える電池押え部を設けた構成のものが知られている。
【先行技術文献】
【特許文献】
【０００３】
【特許文献１】特開２０１２−１０８０４１号公報
【０００４】
この種の電池固定装置は、地板に設けられた電池押え部が電池収納凹部の開放側に向けて突出し、この突出した電池押え部に、電池に当接する当接部と、この当接部よりも先端側に設けられ、かつ腕時計ケースの裏面に取り付けられる裏蓋で押されて当接部を電池に押圧する押圧部と、を設けた構成になっている。
【発明の概要】
【発明が解決しようとする課題】
【０００５】
このような腕時計の電池固定装置では、電池収納凹部内に電池を押える際に、地板に設けられた電池押え部の当接部を電池収納凹部の開放側に位置する電池に当接させた状態で、裏蓋で押された押圧部が当接部を電池に押圧する構成であるから、電池押え部の当接部のみによって電池を電池収納凹部内に弾力的に押えているだけであるから、電池がガタつき易く、電池を電池収納凹部内に確実に固定することができないという問題がある。
【０００６】
この発明が解決しようとする課題は、電池をガタツクことなく電池収納凹部内に確実に固定することができる電池固定装置およびそれを備えた時計を提供することである。
【課題を解決するための手段】
【０００７】
この発明は、電池と、前記電池を搭載するハウジングと、を備え、前記ハウジングには、前記電池の面方向の位置を規制して前記電池を収納する電池収納凹部と、前記電池収納凹部に収納された前記電池を前記電池収納凹部の底部との間に挟み付けて前記電池の厚み方向の位置を規制する電池押え部と、が設けられていることを特徴とする電池固定装置である。
【発明の効果】
【０００８】
この発明によれば、ハウジングの電池収納凹部によってその内部に収納された電池の面方向の位置を規制することができると共に、ハウジングの電池押え部によって電池を電池収納凹部の底部との間で挟み付けて電池の厚み方向の位置を規制することができるので、電池が電池収納凹部内でガタツクことがなく、電池を電池収納凹部内に確実に固定することができる。
【図面の簡単な説明】
【０００９】
【図１】この発明を腕時計に適用した一実施形態を示した拡大正面図である。
【図２】図１に示された腕時計の内部に組み込まれた時計モジュールを示した拡大正面図である。
【図３】図２に示された時計モジュールの拡大側面図である。
【図４】図２に示された時計モジュールの拡大裏面図である。
【図５】図２に示された時計モジュールのＡ−Ａ矢視における拡大断面図である。
【図６】図５に示された時計モジュールのハウジングを裏面側から見た拡大斜視図である。
【発明を実施するための形態】
【００１０】
以下、図１〜図６を参照して、この発明を腕時計に適用した一実施形態について説明する。
この腕時計は、図１に示すように、腕時計ケース１を備えている。この腕時計ケース１の１２時側と６時側とには、時計バンド２が取り付けられている。この腕時計ケース１の２時側、３時側、４時側、８時側には、スイッチ部３がそれぞれ設けられている。
【００１１】
また、この腕時計ケース１の内部には、図２〜図５に示すように、時計モジュール４が設けられている。この時計モジュール４は、アナログブロック５と回路ブロック６とを備え、これらが上下に積層された構成になっている。アナログブロック５は、輪列機構を備えた時計ムーブメント（いずれも図示せず）を備え、その上面に文字板７（図３参照）が配置されるように構成されている。
【００１２】
すなわち、このアナログブロック５は、図１、図３および図５に示すように、時計ムーブメントにおける輪列機構の指針軸８ａが、文字板７の貫通孔７ａを通して文字板７の上方に突出し、この突出した指針軸８ａの上端部に、秒針、分針、時針などの指針８が取り付けられ、この指針８が文字板７の上方を運針することにより、図１に示すように、時刻を指示表示するように構成されている。
【００１３】
回路ブロック６は、図４および図５に示すように、釦型の電池９およびアンテナ１０などの電子部品を搭載するハウジング１１と、このハウジング１１の上面に配置された第１の回路基板１２と、ハウジング１１の下面に配置された第２の回路基板１３と、これらハウジング１１、第１の回路基板１２、および第２の回路基板１３をアナログブロック５の下側に組み付ける地板１４と、を備えている。
【００１４】
この場合、ハウジング１１には、図４〜図６に示すように、電池９を収納する電池収納凹部１１ａがほぼ７時側に位置して設けられている。また、このハウジング１１には、アンテナ１０を収納するアンテナ収納部１１ｂが、電池収納凹部１１ａに隣接した状態で、ほぼ１時側に位置して設けられている。
【００１５】
このアンテナ１０は、ＧＰＳ（グローバル・ポジショニング・システム）用のパッチアンテナである。このアンテナ１０は、図４〜図６に示すように、その下部がハウジング１１のアンテナ収納部１１ｂ内に配置され、上部が第１の回路基板１２の第１基板開口部１２ａを通してアナログブロック５のアンテナ収納部５ｂ内に配置されるように構成されている。
【００１６】
第１の回路基板１２は、図５に示すように、ハウジング１１の上面に配置された状態で、アナログブロック５の下面に配置され、この状態でアナログブロック５の時計ムーブメント（図示せず）と電気的に接続されるように構成されている。この第１の回路基板１２には、アンテナ１０の上部が配置する第１基板開口部１２ａが、ハウジング１１のアンテナ収納部１１ｂに対応して設けられている。
【００１７】
第２の回路基板１３は、図４および図５に示すように、ハウジング１１の電池収納凹部１１ａに対応する箇所を除いて、ハウジング１１の下面に配置されるよう構成されている。すなわち、この第２の回路基板１３には、電池９をハウジング１１の電池収納凹部１１ａ内に収納させるための第２基板開口部１３ａが、ハウジング１１の電池収納凹部１１ａに対応して設けられている。
【００１８】
この第２の回路基板１３の下面には、図４および図５に示すように、金属製の地板１４が配置されている。この地板１４には、電池９をハウジング１１の電池収納凹部１１ａ内に収納させるための地板開口部１４ａが、第２の回路基板１３の第２基板開口部１３ａに対応して設けられている。また、この地板１４には、ハウジング１１の電池収納凹部１１ａ内に収納された電池９を押える電極板１５が設けられている。
【００１９】
この電極板１５は、図４および図５に示すように、その一端部１５ａが地板１４と一体に形成されていることにより、地板１４に連結され、他端部１５ｂが電池収納凹部１１ａの外周部に設けられた係止突起１１ｃに係脱可能に係止されることにより、電池収納凹部１１ａ内に配置された電池９を電池収納凹部１１ａ内に押えると共に、電池９と地板１４とを電気的に接続するように構成されている。
【００２０】
また、地板１４の外周部には、図３〜図５に示すように、複数のフック部１６がアナログブロック５の外周面に向けて上方に突出して設けられている。これら複数のフック部１６それぞれは、図３に示すように、その上端部に矩形状の係止孔１６ａが設けられ、この係止孔１６ａにアナログブロック５の外周面に突出して設けられた突起部５ａが係合するように構成されている。
【００２１】
すなわち、これら複数のフック部１６は、図３および図５に示すように、下側から順に、地板１４、第２の回路基板１３、ハウジング１１、第１の回路基板１２、およびアナログブロック５が重ね合わされた際に、これらの外周面に沿って上側に延び、この延びた上端部の係止孔１６ａに、アナログブロック５の外周面に設けられた各突起部５ａが係合するように構成されている。
【００２２】
これにより、地板１４は、図３および図５に示すように、第２の回路基板１３、ハウジング１１、第１の回路基板１２、およびアナログブロック５が重ね合わされた状態で、第２の回路基板１３の下面に配置された際に、複数のフック部１６の各係止孔１６ａに、アナログブロック５の外周面に設けられた各突起部５ａが係合することにより、第２の回路基板１３、ハウジング１１、第１の回路基板１２、およびアナログブロック５を一体的に組み付けるように構成されている。
【００２３】
ところで、ハウジング１１には、図４〜図６に示すように、電池収納凹部１１ａ内に収納された電池９を固定する電池固定装置１７が設けられている。この電池固定装置１７は、ハウジング１１に設けられ、かつ電池９の面方向の位置を規制して電池９を収納する電池収納凹部１１ａと、この電池収納凹部１１ａ内に収納された電池９を電池収納凹部１１ａの底部との間に挟み付けて、電池９の厚み方向の位置を規制する電池押え部１８と、を備えている。
【００２４】
この場合、電池収納凹部１１ａは、図４〜図６に示すように、その内周面が電池９の外周面とほぼ同じ大きさに形成されている。すなわち、この電池収納凹部１１ａは、その内部に電池９が収納された際に、電池９の外周面が電池収納凹部１１ａの内周面に密接して配置されるように構成されている。これにより、電池収納凹部１１ａは、その内部に電池９が収納された際に、電池９の面方向の位置を規制するように構成されている。
【００２５】
電池押え部１８は、図４〜図６に示すように、電池収納凹部１１ａにおけるアンテナ１０に接近する側に位置した状態で、ハウジング１１に一体に設けられている。すなわち、この電池押え部１８は、電池収納凹部１１ａにおけるアンテナ１０に接近する側に位置して、電池９の開放側を横切った状態で設けられている。
【００２６】
この場合、電池押え部１８は、図４〜図６に示すように、電池９の中心部を避けた位置で、電池収納凹部１１ａの縁部間に架け渡されている。これにより、電池収納凹部１１ａは、アンテナ１０と反対側に位置する箇所が電池押え部１８側よりも広く開放され、この広く開放された箇所から電池９が挿入し易くなるように構成されている。
【００２７】
また、この電池収納凹部１１ａの底部と電池押え部１８との間隔は、図４〜図６に示すように、電池９の厚みと同じ長さに形成されている。このため、電池９は、電池収納凹部１１ａ内に収納された際に、電池収納凹部１１ａの底部と電池押え部１８との間にガタツクことなく挟み付けられた状態で固定されるように構成されている。
【００２８】
また、電池収納凹部１１ａは、図４〜図６に示すように、電池９の中心部を境にして、アンテナ１０と反対側に位置する周縁部１１ｄ、つまり電池押え部１８と反対側に位置する電池収納凹部１１ａの周縁部１１ｄが電池９の厚みよりも低く形成されている。これにより、電池収納凹部１１ａは、電池９の厚みよりも低い周縁部１１ｄ側の箇所から電池９を挿入し易くするように構成されている。
【００２９】
さらに、電池９は、図４および図５に示すように、電池収納凹部１１ａ内に収納されて、電池収納凹部１１ａの底部と電池押え部１８との間に挟み付けられた状態で、電池９の開放された箇所が地板１４に設けられた電極板１５によって電池収納凹部１１ａ内に押え付けられ、この状態で地板１４と電気的に接続されるように構成されている。
【００３０】
次に、このような腕時計の時計モジュール４における電池固定装置１７の作用について説明する。
この電池固定装置１７で電池９を固定する場合には、アンテナ１０と反対側に位置する電池収納凹部１１ａの開放側から電池９を電池収納凹部１１ａ内に挿入させ、この挿入された電池９を電池収納凹部１１ａの底部と電池押え部１８との間に挟み込む。
【００３１】
このときには、電池押え部１８が、電池９の中心部を避けた位置で、アンテナ１０に接近する電池収納凹部１１ａの開放側における縁部間に架け渡されていることにより、アンテナ１０と反対側に位置する電池収納凹部１１ａの箇所が電池押え部１８側よりも広く開放されている。このため、電池収納凹部１１ａの広く開放された側から電池９を電池収納凹部１１ａ内に容易に挿入させることができる。
【００３２】
また、このときには、電池収納凹部１１ａの中心部を境にして、電池押え部１８と反対側に位置する電池収納凹部１１ａの周縁部１１ｄ、つまりアンテナ１０と反対側に位置する電池収納凹部１１ａの周縁部１１ｄが、電池９の厚みよりも低く形成されていることにより、これによっても電池９を電池収納凹部１１ａ内に容易に挿入させることができる。
【００３３】
そして、アンテナ１０と反対側に位置する電池収納凹部１１ａの開放側から挿入された電池９が電池収納凹部１１ａ内に配置される際には、電池９が電池収納凹部１１ａの底部と電池押え部１８との間に挟み込まれる。このときには、電池押え部１８が電池収納凹部１１ａにおけるアンテナ１０に接近する側に位置して、電池９の開放側を横切った状態で設けられていることにより、電池押え部１８によって電池収納凹部１１ａの底部と間に電池９を確実にかつ良好に挟み付けることができる。
【００３４】
また、このときには、電池収納凹部１１ａの底部と電池押え部１８との間隔が電池９の厚みと同じ長さに形成されている。このため、電池収納凹部１１ａの底部と電池押え部１８との間に電池９がガタツクことなく挟み付けられて固定される。このため、電池９は、その面方向の位置が電池収納凹部１１ａによって規制されると共に、電池収納凹部１１ａの底部と電池押え部１８との間に挟まれて電池９の厚み方向の位置が規制され、この状態で電池収納凹部１１ａ内にガタツクことなく確実にかつ良好に固定される。
【００３５】
この状態で、電池９の開放された箇所を電極板１５で押え付ける。このときには、地板１４と一体に形成された電極板１５の一端部１５ａを中心に電極板１５を撓ませて、電極板１５の他端部１５ｂを電池収納凹部１１ａの外周部に設けられた係止突起１１ｃに係止させる。これにより、電極板１５が電池９の開放側を電池収納凹部１１ａ内に押え付ける。このため、電極板１５によっても、電池９が電池収納凹部１１ａ内に更に確実に固定される。
【００３６】
このように電池９が電池収納凹部１１ａ内に固定された状態では、電池９が電池収納凹部１１ａ内でガタツクことがないため、電池９の近傍にＧＰＳ用のアンテナ１０が配置されていても、電池９のガタつきによるアンテナ１０の電波障害を防ぐことができ、これによりアンテナ１０の受信感度のバラつきを防ぎ、アンテナ１０の受信感度の安定化を図ることができる。
【００３７】
このように、この腕時計の時計モジュール４における電池固定装置１７によれば、電池９を搭載するハウジング１１に、電池９の面方向の位置を規制して電池９を収納する電池収納凹部１１ａと、この電池収納凹部１１ａに収納された電池９を電池収納凹部１１ａの底部との間に挟み付けて電池９の厚み方向の位置を規制する電池押え部１８と、が設けられていることにより、電池収納凹部１１ａと電池押え部１８とによって電池９をガタツクことなく電池収納凹部１１ａ内に確実に固定することができる。
【００３８】
すなわち、この時計モジュール４の電池固定装置１７では、ハウジング１１の電池収納凹部１１ａによってその内部に収納された電池９の面方向の位置を規制することができると共に、ハウジング１１の電池押え部１８によって電池９を電池収納凹部１１ａの底部との間に挟み付けて電池９の厚み方向の位置を規制することができる。このため、電池９が電池収納凹部１１ａ内でガタツクことがなく、電池９を電池収納凹部１１ａ内に確実に固定することができる。これにより、電池９のガタつきによるアンテナ１０の電波障害を防ぎ、アンテナ１０の受信感度の安定化を図ることができる。
【００３９】
また、この電池固定装置１７では、ハウジング１１にＧＰＳ用のアンテナ１０が搭載され、電池押え部１８が電池収納凹部１１ａにおけるアンテナ１０に接近する側に位置し、かつ電池９の開放側を横切って設けられていることにより、電池収納凹部１１ａ内に収納された電池９のうち、特にアンテナ１０に接近する箇所における電池９のガタつきを電池押え部１８によって確実にかつ良好に防ぐことができる。このため、電池９のガタつきによるアンテナ１０の電波障害を確実に防ぐことができるので、アンテナ１０の受信感度のバラつきを防ぎ、アンテナ１０の受信感度の安定化を図ることができる。
【００４０】
また、この電池固定装置１７では、電池押え部１８が電池９の中心部を避けた位置で、電池収納凹部１１ａの縁部間に架け渡されていることにより、電池９の中心部を境にして、電池押え部１８と反対側に位置する電池収納凹部１１ａの開放領域を電池押え部１８側の開放領域よりも広くすることができるので、電池収納凹部１１ａの縁部間に電池押え部１８を架け渡しても、広い開放領域から電池収納凹部１１ａ内に電池９を容易にかつ良好に挿入させることができる。
【００４１】
また、この電池固定装置１７では、電池収納凹部１１ａの縁部間に電池押え部１８が架け渡されていることにより、この電池収納凹部１１ａの縁部間に架け渡された電池押え部１８によって、電池収納凹部１１ａ内に挿入された電池９を電池収納凹部１１ａ内に確実に押え付けて収納することができるので、電池９のガタつきを防いで、電池９を電池収納凹部１１ａ内に良好に固定することができる。
【００４２】
この場合、この電池固定装置１７では、電池収納凹部１１ａの底部と電池押え部１８との間隔が電池９の厚みと同じ長さに形成されていることにより、電池押え部１８によって、電池収納凹部１１ａ内に挿入された電池９を電池収納凹部１１ａ内に確実に押え付けて収納することができ、これにより電池９の厚み方向のガタつきを確実に防いで、電池９を電池収納凹部１１ａ内に確実にかつ良好に固定することができる。
【００４３】
また、電池収納凹部１１ａは、少なくとも電池９の中心部を境にしてアンテナ１０と反対側に位置する周縁部１１ｄが電池９の厚みよりも低く形成されていることにより、電池収納凹部１１ａの開放領域側を更に広くすることができるので、より一層、電池９を電池収納凹部１１ａ内に挿入させ易くすることができる。
【００４４】
さらに、この電池固定装置１７では、電池押え部１８よりもアンテナ１０と反対側に位置する電池９の開放面を押える電極板１５を備えていることにより、この電極板１５によって電池９の開放側を電池収納凹部１１ａ内に押え付けることができるので、これによっても電池９を電池収納凹部１１ａ内に確実にかつ良好に固定することができる。
【００４５】
すなわち、電極板１５は、その一端部１５ａが地板１４と一体に形成されていることにより、地板１４に連結され、他端部１５ｂが電池収納凹部１１ａの外周部に設けられた係止突起１１ｃに係脱可能に係止されることにより、電池収納凹部１１ａ内に配置された電池９を電極板１５によっても電池収納凹部１１ａ内に良好に押え付けることができると共に、この電極板１５によって電池９と地板１４とを電気的に接続することができる。
【００４６】
なお、上述した一実施形態では、アンテナ１０と反対側に位置する電池収納凹部１１ａの周縁部１１ｄを電池９の厚みよりも低く形成した場合について述べた、この発明はこれに限らず、例えば、電池収納凹部１１ａの周縁部１１ｄの全周を電池９の厚みよりも低く形成した構成であっても良い。
【００４７】
また、上述した一実施形態では、腕時計に適用した場合について述べたが、この発明は必ずしも腕時計である必要はなく、例えば、トラベルウオッチ、目覚まし時計、置き時計、掛け時計などの各種の時計に適用することができる。また、この発明は必ずしも時計である必要はなく、例えば、携帯電話機や携帯情報端末機などの電子機器にも広く適用することができる。
【００４８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００４９】
（付記）
請求項１に記載の発明は、電池と、前記電池を搭載するハウジングと、を備え、前記ハウジングには、前記電池の面方向の位置を規制して前記電池を収納する電池収納凹部と、前記電池収納凹部に収納された前記電池を前記電池収納凹部の底部との間に挟み付けて前記電池の厚み方向の位置を規制する電池押え部と、が設けられていることを特徴とする電池固定装置である。
【００５０】
請求項２に記載の発明は、請求項１に記載の電池固定装置において、前記ハウジングには、アンテナが搭載され、前記電池押え部は、前記電池収納凹部における前記アンテナに接近する側に位置し、かつ前記電池の開放側を横切って設けられていることを特徴とする電池固定装置である。
【００５１】
請求項３に記載の発明は、請求項１または請求項２に記載の電池固定装置において、前記電池押え部は、前記電池の中心部を避けた位置で、前記電池収納凹部の縁部間に架け渡されていることを特徴とする電池固定装置である。
【００５２】
請求項４に記載の発明は、請求項１〜請求項３のいずれかに記載の電池固定装置において、前記電池収納凹部の底部と前記電池押え部との間隔は、前記電池の厚みと同じ長さに形成されていることを特徴とする電池固定装置である。
【００５３】
請求項５に記載の発明は、請求項２〜請求項４のいずれかに記載の電池固定装置において、前記電池収納凹部の周縁部は、少なくとも前記電池の中心部を境にして前記アンテナと反対側に位置する箇所が前記電池の厚みよりも低く形成されていることを特徴とする電池固定装置である。
【００５４】
請求項６に記載の発明は、請求項２〜請求項５のいずれかに記載の電池固定装置において、前記電池押え部よりも前記アンテナと反対側に位置する前記電池の開放面を押える電極板を備えていることを特徴とする電池固定装置である。
【００５５】
請求項７に記載の発明は、請求項２〜請求項６のいずれかに記載の電池固定装置において、前記アンテナはＧＰＳ用のパッチアンテナであることを特徴とする電池固定装置である。
【００５６】
請求項８に記載の発明は、請求項１〜請求項７のいずれかに記載された電池固定装置を備えていることを特徴とする時計である。
【符号の説明】
【００５７】
１  腕時計ケース
４  時計モジュール
５  アナログブロック
６  回路ブロック
９  電池
１０  アンテナ
１１  ハウジング
１１ａ  電池収納凹部
１１ｂ  アンテナ収納部
１１ｃ  係止突起
１１ｄ  周縁部
１２  第１の回路基板
１２ａ  第１基板開口部
１３  第２の回路基板
１３ａ  第２基板開口部
１４  地板
１５  電極板
１５ａ  一端部
１５ｂ  他端部
１６  フック部
１７  電池固定装置
１８  電池押え部
【図１】
2018009881.tif 000003
【図２】
2018009881.tif 000004
【図３】
2018009881.tif 000005
【図４】
2018009881.tif 000006
【図５】
2018009881.tif 000007
【図６】
2018009881.tif 000008